(57)【要約】    【課題】  複数の被写体から選択された被写体に対して撮影開始を知らせることができる撮影装置を提供する。    【解決手段】  撮影装置１００は、メモリ２４に登録された被写体情報を信号画像Ｉ／Ｆ１７を介して送信して、ＬＣＤ１６に重ねて表示し、さらに、入力キー１９（選択キー）の操作により、選択カーソルを移動させて撮影する被写体の名前又は静止画を選択し、録画スタートストップボタンが押下されたか否かを判別する（ステップＳ１０８）。入力キー１９（録画スタートストップボタン）が押下されたときは、撮像素子１０を通してＬＣＤ１６に表示される映像の録画が開始されると共に、入力キー１９が押下されると同時に選択された被写体情報をメモリ２４から読み出して、Ｂｌｕｅｔｏｏｔｈ２２０を介して携帯電話２０１宛に送信する（ステップＳ１０９）。【選択図】      図３
2005295114.tif 000002
【特許請求の範囲】
【請求項１】
撮影者が所有する移動電話と接続され、前記移動電話は、複数の被写体が夫々所有する複数の他の移動電話と公衆電話回線網を介して接続されている撮影装置において、撮影手段と、前記複数の被写体の情報を夫々記憶する記憶手段と、前記記憶された複数の情報を表示する表示手段と、前記表示された複数の情報から特定の被写体に関する情報を選択する選択手段と、前記撮影手段による撮影開始の指示に応じて、前記移動電話が前記選択された特定の被写体が所有する他の移動電話に対して発呼するよう指令する発呼指令手段とを備えることを特徴とする撮影装置。
【請求項２】
前記複数の被写体に関する情報を前記複数の他の移動電話から受信する受信手段をさらに備えることを特徴とする請求項１記載の撮影装置。
【請求項３】
前記複数の被写体に関する情報は、夫々、前記被写体の名前、前記被写体の画像データ、及び前記被写体が所有する他の移動電話の電話番号の少なくとも１つを含むことを特徴とする請求項１又は２記載の撮影装置。
【請求項４】
前記発呼指令手段は、前記移動電話と無線で接続されていることを特徴とする請求項１乃至３のいずれか１項に記載の撮影装置。
【請求項５】
前記発呼指令手段及び前記移動電話は、夫々、無線インターフェースを備えることを特徴とする請求項４記載の撮影装置。
【請求項６】
前記無線インターフェースは近距離無線インターフェースであることを特徴とする請求項５記載の撮影装置。
【請求項７】
複数の被写体が夫々所有する複数の移動電話と公衆電話回線網を介して接続されている撮影装置において、撮影手段と、前記複数の被写体の情報を夫々記憶する記憶手段と、前記記憶された複数の情報を表示する表示手段と、前記表示された複数の情報から特定の被写体に関する情報を選択する選択手段と、前記撮影手段による撮影開始の指示に応じて、前記選択された特定の被写体が所有する移動電話に対して発呼する発呼手段とを備えることを特徴とする撮影装置。
【請求項８】
カメラ付き携帯電話であることを特徴とする請求項７記載の撮影装置。
【請求項９】
複数の被写体が夫々所有する複数の無線端末と無線を介して接続されている撮影装置において、撮影手段と、前記複数の被写体の情報を夫々記憶する記憶手段と、前記記憶された複数の情報を表示する表示手段と、前記表示された複数の情報から特定の被写体に関する情報を選択する選択手段と、前記撮影手段による撮影開始の指示に応じて、前記選択された特定の被写体が所有する無線端末に対して撮影開始の情報を送信する送信手段とを備えることを特徴とする撮影装置。
【請求項１０】
前記送信手段は、前記撮影手段による撮影開始の指示に応じて、前記選択された特定の被写体以外の被写体が所有する無線端末に撮影待機の情報を送信することを特徴とする請求項９記載の撮影装置。
【請求項１１】
前記複数の被写体の情報を予め前記複数の無線端末から受信する受信手段をさらに備えることを特徴とする請求項９又は１０記載の撮影装置。
【請求項１２】
前記複数の被写体に関する情報は、夫々、前記被写体の名前、前記被写体の画像データ、及び前記被写体が所有する無線端末のＩＰアドレスの少なくとも１つを含むことを特徴とする請求項９乃至１１のいずれか１項に記載の撮影装置。
【請求項１３】
前記送信手段及び前記無線端末は、夫々、無線インターフェースを備えることを特徴とする請求項９乃至１２のいずれか１項に記載の撮影装置。
【請求項１４】
前記無線インターフェースは無線ＬＡＮであることを特徴とする請求項１３記載の撮影装置。
【請求項１５】
前記記憶手段は、装置本体のＩＰアドレス及び前記複数の被写体が夫々所有する複数の無線端末のＩＰアドレスを予め登録することを特徴とする請求項９乃至１４のいずれか１項に記載の撮影装置。
【発明の詳細な説明】
【技術分野】
【０００１】
本発明は、撮影装置に関し、特に、被写体に対して撮影開始を知らせることができる撮影装置に関する。
【背景技術】
【０００２】
従来、撮影装置から遠く離れた複数の被写体を１人ずつ順番に撮影するためには、予め撮影の順番を把握する必要があることに加え、撮影者が身振り手振り等による撮影開始の合図をして被写体に知らせる必要があった。
【０００３】
また、撮影状態を撮影装置から遠く離れた被写体に知らせる手段として、撮影装置の発光部からの光の発光色及び発光間隔を利用する方法が知られている（例えば、特許文献１参照）
【特許文献１】特開平０８−２９４０２８号公報
【発明の開示】
【発明が解決しようとする課題】
【０００４】
しかしながら、撮影者及び被写体が撮影の順番を把握し、撮影者が身振り手振り等による撮影開始の合図をして被写体に知らせる場合は、撮影の順番を間違えて撮影が失敗となるおそれがあると共に、仮に、撮影の順番を間違えなかったとしても、被写体が撮影者の身振り手振り等による撮影開始の合図に気づかないことがあった。
【０００５】
また、撮影装置の発光部からの光の発光色及び発光間隔を利用した場合、周囲の環境によっては発光部からの光が被写体まで届かないことがあると共に、被写体が複数である場合には、どの被写体が撮影の対象となっているのか分からないことがあった。
【０００６】
本発明の目的は、複数の被写体から選択された被写体に対して撮影開始を知らせることができる撮影装置を提供することにある。
【課題を解決するための手段】
【０００７】
上記目的を達成するために、請求項１記載の撮影装置は、撮影者が所有する移動電話と接続され、前記移動電話は、複数の被写体が夫々所有する複数の他の移動電話と公衆電話回線網を介して接続されている撮影装置において、撮影手段と、前記複数の被写体の情報を夫々記憶する記憶手段と、前記記憶された複数の情報を表示する表示手段と、前記表示された複数の情報から特定の被写体に関する情報を選択する選択手段と、前記撮影手段による撮影開始の指示に応じて、前記移動電話が前記選択された特定の被写体が所有する他の移動電話に対して発呼するよう指令する発呼指令手段とを備えることを特徴とする。
【０００８】
請求項２記載の撮影装置は、請求項１記載の撮影装置において、前記複数の被写体に関する情報を前記複数の他の移動電話から受信する受信手段をさらに備えることを特徴とする。
【０００９】
請求項３記載の撮影装置は、請求項１又は２記載の撮影装置において、前記複数の被写体に関する情報は、夫々、前記被写体の名前、前記被写体の画像データ、及び前記被写体が所有する他の移動電話の電話番号の少なくとも１つを含むことを特徴とする。
【００１０】
請求項４記載の撮影装置は、請求項１乃至３のいずれか１項に記載の撮影装置において、前記発呼指令手段は、前記移動電話と無線で接続されていることを特徴とする。
【００１１】
請求項５記載の撮影装置は、請求項４記載の撮影装置において、前記発呼指令手段及び前記移動電話は、夫々、無線インターフェースを備えることを特徴とする。
【００１２】
請求項６記載の撮影装置は、請求項５記載の撮影装置において、前記無線インターフェースは近距離無線インターフェースであることを特徴とする。
【００１３】
上記目的を達成するために、請求項７記載の撮影装置は、複数の被写体が夫々所有する複数の移動電話と公衆電話回線網を介して接続されている撮影装置において、撮影手段と、前記複数の被写体の情報を夫々記憶する記憶手段と、前記記憶された複数の情報を表示する表示手段と、前記表示された複数の情報から特定の被写体に関する情報を選択する選択手段と、前記撮影手段による撮影開始の指示に応じて、前記選択された特定の被写体が所有する移動電話に対して発呼する発呼手段とを備えることを特徴とする。
【００１４】
請求項８記載の撮影装置は、請求項７記載の撮影装置において、カメラ付き携帯電話であることを特徴とする。
【００１５】
上記目的を達成するために、請求項９記載の撮影装置は、複数の被写体が夫々所有する複数の無線端末と無線を介して接続されている撮影装置において、前記複数の被写体を少なくとも１人を撮影する撮影手段と、前記複数の被写体の情報を夫々記憶する記憶手段と、前記記憶された複数の情報を表示する表示手段と、前記表示された複数の情報から特定の被写体に関する情報を選択する選択手段と、前記撮影手段による撮影開始時に、前記特定の被写体が所有する無線端末に撮影開始のメッセージを送信する送信手段とを備えることを特徴とする。
【００１６】
請求項１０記載の撮影装置は、請求項９記載の撮影装置において、前記送信手段は、前記撮影手段による撮影開始の指示に応じて、前記選択された特定の被写体以外の被写体が所有する無線端末に撮影待機の情報を送信することを特徴とする。
【００１７】
請求項１１記載の撮影装置は、請求項９又は１０記載の撮影装置において、前記複数の被写体の情報を予め前記複数の無線端末から受信する受信手段をさらに備えることを特徴とする。
【００１８】
請求項１２記載の撮影装置は、請求項９乃至１１のいずれか１項に記載の撮影装置において、前記複数の被写体に関する情報は、夫々、前記被写体の名前、前記被写体の画像データ、及び前記被写体が所有する無線端末のＩＰアドレスの少なくとも１つを含むことを特徴とする。
【００１９】
請求項１３記載の撮影装置は、請求項９乃至１２のいずれか１項に記載の撮影装置において、前記送信手段及び前記無線端末は、夫々、無線インターフェースを備えることを特徴とする。
【００２０】
請求項１４記載の撮影装置は、請求項１３記載の撮影装置において、前記無線インターフェースは無線ＬＡＮであることを特徴とする。
【００２１】
請求項１５記載の撮影装置は、請求項９乃至１４のいずれか１項に記載の撮影装置において、前記記憶手段は、装置本体のＩＰアドレス及び前記複数の被写体が夫々所有する複数の無線端末のＩＰアドレスを予め登録することを特徴とする。
【発明の効果】
【００２２】
請求項１記載の撮影装置によれば、撮影開始の指示に応じて、移動電話が選択された特定の被写体が所有する他の移動電話に対して発呼するよう指令するので、複数の被写体から選択された被写体に対して撮影開始を知らせることができる。
【００２３】
請求項２記載の撮影装置によれば、複数の被写体に関する情報を複数の他の移動電話から受信するので、複数の被写体に関する情報を容易に取得することができる。
【００２４】
請求項７記載の撮影装置によれば、撮影開始の指示に応じて、選択された特定の被写体が所有する移動電話に対して発呼するので、複数の被写体から選択された被写体に対して撮影開始を知らせることができる。
【００２５】
請求項９記載の撮影装置によれば、撮影開始時に特定の被写体が所有する無線端末に撮影開始のメッセージを送信するので、複数の被写体から選択された被写体に対して撮影開始を知らせることができる。
【００２６】
請求項１０記載の撮影装置によれば、撮影開始の指示に応じて、選択された特定の被写体以外の被写体が所有する無線端末に撮影待機のメッセージを送信するので、選択されていない被写体に自己以外を対象とした撮影が開始されたことを知らせることができる。
【００２７】
請求項１１記載の撮影装置によれば、複数の被写体の情報を予め複数の無線端末から受信するので、被写体に関する情報を容易に取得することができる。
【発明を実施するための最良の形態】
【００２８】
以下、本発明の実施の形態を図面を参照しながら説明する。
【００２９】
図１は、本発明の第１の実施の形態に係る撮影装置の構成を概略的に示すブロック図である。
【００３０】
図１において、第１の実施の形態に係る撮影装置１００は、被写体の光学像を電気信号に変換する撮像素子１０と、撮像素子１０の出力からノイズを除去する相関二重サンプリング（ＣＤＳ）回路１１と、ＣＤＳ回路１１の出力の利得を自動制御調整する自動利得制御回路（ＡＧＣ）回路１２と、ＡＧＣ回路１２のアナログ出力をデジタル信号に変換するＡ／Ｄ（アナログ・デジタル）変換器１３と、Ａ／Ｄ変換器１３により印加されたデジタル信号に輝度（Ｙ）／色（Ｃ）分離処理、輪郭強調処理、ホワイトバランス処理、及びガンマ補正等の周知の処理を施して、デジタルビデオ信号を生成するカメラ信号処理回路１４と、カメラ信号処理回路１４から供給されたデジタルビデオ信号をアナログ信号に変換するＤ／Ａ（デジタル・アナログ）変換器１５と、Ｄ／Ａ変換器１５により印加されたアナログ信号を表示する表示モニタ（ＬＣＤ）１６とを備える。
【００３１】
撮影装置１００は、また、周囲又は対象方向からの音声を取り込んで音声信号を出力するマイク２５と、マイク２５のアナログ出力をデジタル信号に変換するＡ／Ｄ変換器２６と、Ａ／Ｄ変換器２６により印加された音声データに音声信号処理を施して音声データを生成する音声信号処理回路２７と、音声信号処理回路２７から供給された音声データをアナログ信号に変換するＤ／Ａ変換器２８と、Ｄ／Ａ変換器２８により印加されたアナログ信号を出力するスピーカ２９とを備える。
【００３２】
撮影装置１００は、また、カメラ信号処理回路１４から供給されたデジタルビデオ信号を取り込んでメモリ２４に書き込む信号画像インターフェース（Ｉ／Ｆ）１７と、メモリ２４から転送されたデジタルビデオ信号をＭＰＥＧ方式等により順次圧縮する画像圧縮伸長回路１８と、後述する入力キー１９により入力されたユーザの指示に従って統括的な制御を行うＣＰＵ２０と、音声信号処理回路２７から供給された音声データを取り込んでメモリ２４に書き込む音声インターフェース（Ｉ／Ｆ）２２と、メモリ２４から転送された音声データをＭＰＥＧ方式等により順次圧縮する画像圧縮伸長回路２３と、圧縮されたデジタルビデオ信号及び音声データを関係付けて又は同一ファイル内に収容して格納する記憶装置３０と、相手通信端末から被写体情報の受信や録画スタートストップボタンによる撮影開始をトリガとして相手通信端末に被写体情報を送信する通信インターフェース（Ｉ／Ｆ）２１とを備え、これらはバス４０を介して互いに接続されている。
【００３３】
さらに、撮影装置１００は、ＣＰＵ２０に接続され、ユーザが撮影装置１００の操作を行う際に使用される入力キー１９を備える。
【００３４】
入力キー１９は、被写体選択モードに切り替えるためのモード切替スイッチ、撮影開始及び撮影一時停止を指示する録画スタートストップボタン、ＬＣＤ１６に表示される被写体情報を選択する選択キー等により構成され、記憶装置３０は、ハードディスク、ＤＶＤ、ＤＶ（デジタルビデオ）テープ、メモリカード等に相当し、通信インターフェース２１は、Ｂｌｕｅｔｏｏｔｈ等の近距離無線インターフェース、ＩＥＥＥ８０２．１１で規定される無線ＬＡＮインターフェース、携帯電話網に通じるインターフェース等に相当する。
【００３５】
撮像素子１０に入射する光学像は、撮像素子１０により電気信号に変換され、ＣＤＳ回路１１によりノイズが除去され、ＡＧＣ回路１２により自動制御調整され、Ａ／Ｄ変換器１３によりデジタル信号に変換され、カメラ信号処理回路１４により周知の処理を施され、Ｄ／Ａ変換器１５によりアナログ信号に変換されてＬＣＤ１６に印加されることにより、ＬＣＤ１６の画面上で視覚的に確認される。
【００３６】
マイク２５に入力された音声は、マイク２５により音声信号に変換され、Ａ／Ｄ変換器２６によりデジタル信号に変換され、音声信号処理回路２７により音声信号処理が施され、Ｄ／Ａ変換器２８によりアナログ信号に変換されてスピーカ２９に印加されることにより、スピーカ２９から印加される。
【００３７】
ＣＰＵ２０は、カメラ信号処理回路１４及び音声信号処理回路２７を起動し、カメラ信号処理回路１４がＡ／Ｄ変換器１３からのデジタルビデオ信号をＤ／Ａ変換器１５及び信号画像Ｉ／Ｆ１７に供給するよう制御し、音声信号処理回路２７がＡ／Ｄ変換器２６からの音声データを音声インターフェース２２及びＤ／Ａ変換器２８に供給するよう制御する。
【００３８】
図２は、図１の撮影装置１００の使用方法を説明するのに用いられる図である。
【００３９】
図２において、撮影者は、図１の撮影装置１００との通信インターフェース（Ｉ／Ｆ）２１としてのＢｌｕｅｔｏｏｔｈ２２０（近距離無線インターフェース）の機能を有する携帯電話２０１を所有し、Ｂｌｕｅｔｏｏｔｈ方式により、撮影装置１００及び携帯電話２０１間で被写体情報の送受信が行われる。一方、被写体は、夫々、携帯電話２０２〜２０４を所有し、携帯電話２０１及び携帯電話２０２〜２０４間で公衆電話回線網２３０を介して電話の発着信が行われる。
【００４０】
図３は、図１における撮影装置１００によって実行される通知処理のフローチャートである。
【００４１】
本処理は、ＣＰＵ２０がメモリ２４内に記憶された制御プログラムを実行することによって実現される。
【００４２】
本処理では、本処理開始時点において撮影装置１００及び携帯電話２０１〜２０４には電源が入っており、撮影装置１００及び携帯電話２０１間ではＢｌｕｅｔｏｏｔｈ方式による送受信が可能な状態であるとする。
【００４３】
図３において、まず、撮影が一時停止中であり（ステップＳ１０１でＹＥＳ）、入力キー１９（モード切替スイッチ）により動作モードが被写体選択モードに設定されると（ステップＳ１０２でＹＥＳ）、携帯電話２０１のメモリに記憶されたアドレス帳の被写体情報（図４）の中から選択された情報がＢｌｕｅｔｏｏｔｈ２２０を介して受信されたか否かを判別し（ステップＳ１０３）、撮影装置１００がＢｌｕｅｔｏｏｔｈ２２０を介して選択された被写体情報を受信したときは、この被写体情報をメモリ２４に登録した（ステップＳ１０４）後に、一方、受信していないときは、直ちに、メモリ２４に被写体情報が登録済みであるか否か判別する（ステップＳ１０５）。
【００４４】
図４において、撮影装置１００及び携帯電話２０１間で送受信される被写体情報は、撮影者が撮影しようとする被写体の名前、当該被写体が所有する携帯電話の電話番号、及び当該被写体の静止画ファイル（ＪＰＥＧファイル等）又は動画ファイル（Ｍｏｔｉｏｎ  ＪＰＥＧファイル等）を含む。
【００４５】
ステップＳ１０５の判別の結果、メモリ２４に被写体情報が登録済みであれば、メモリ２４に登録された被写体情報を信号画像Ｉ／Ｆ１７を介して送信して、ＬＣＤ１６に重ねて表示し（ステップＳ１０６）（図５）、さらに、撮影者の入力キー１９（選択キー）の操作により、選択カーソルを移動させて撮影する被写体の名前又は静止画を選択し（ステップＳ１０７）、入力キー１９（録画スタートストップボタン）が押下されたか否かを判別する（ステップＳ１０８）。
【００４６】
図５において、撮影装置１００におけるＬＣＤ１６は、メモリ２４に登録された被写体情報のうち４人の被写体の名前及び顔の静止画と、選択カーソルとしての赤い枠５０とを表示している。
【００４７】
ステップＳ１０８の判別の結果、入力キー１９が押下されたとき、撮影装置１００は、撮像素子１０を介してＬＣＤ１６に表示される映像の録画を開始すると共に、入力キー１９が押下されると同時に選択された被写体情報をメモリ２４から読み出して、通信インターフェース２１としてのＢｌｕｅｔｏｏｔｈ２２０を介して携帯電話２０１宛に送信し、携帯電話２０１は、撮影装置１００からＢｌｕｅｔｏｏｔｈ２２０を介して被写体情報を受信すると、選択された被写体の携帯電話２０２〜２０４に対して発呼する（携帯電話番号宛に電話する）（ステップＳ１０９）。
【００４８】
その後、入力キー１９（録画スタートストップボタン）が再度押下されると（ステップＳ１１０でＹＥＳ）、撮像素子１０を通してＬＣＤ１６に表示される映像の録画を終了し、ステップＳ１０２に戻る。
【００４９】
ステップＳ１０５の判別の結果、メモリ２４に被写体情報が記録されていないとき（ステップＳ１０５でＮＯ）、又は、ステップＳ１０８の判別の結果、入力キー１９が押下されていないときは（ステップＳ１０８でＮＯ）、ステップＳ１０２以降の処理を繰り返す。
【００５０】
図３の処理によれば、入力キー１９（録画スタートストップボタン）が押下されたとき、撮影装置１００は、撮像素子１０を介してＬＣＤ１６に表示される映像の録画を開始すると共に、入力キー１９が押下されると同時に選択された被写体情報をメモリ２４から読み出して、通信インターフェース２１としてのＢｌｕｅｔｏｏｔｈ２２０を介して携帯電話２０１宛に送信し、携帯電話２０１は、撮影装置１００からＢｌｕｅｔｏｏｔｈ２２０を介して被写体情報を受信すると、選択された被写体の携帯電話２０２〜２０４に対して発呼する（携帯電話番号宛に電話する）（ステップＳ１０９）ので、複数の被写体から選択された被写体に対して撮影開始を知らせることができる。
【００５１】
また、撮像装置１００は、動作モードが被写体選択モードに設定されている限り（ステップＳ１０２でＹＥＳ）、ステップＳ１０３以降の処理を繰り返す。
【００５２】
図６は、本発明の第２の実施の形態に係る撮影装置の外観図である。
【００５３】
図６において、第２の実施の形態に係る撮影装置としてのカメラ付き携帯電話６００は、撮像素子１０（図１）を含むカメラレンズ部６０１と、ＬＣＤ６０２と、選択キー６０３、被写体選択モードボタン６０４、及び録画スタートストップボタン６０５等の入力キー１９と、通信インターフェース２１としての携帯電話網インターフェース６０６とを備え、内部に図１の撮影装置１００と同様の構成を有する。このカメラ付き携帯電話６００には、記憶装置３０としてのＳＤカード、マルチメディア（ＭＭＣ）カード、フラッシュメモリカード等の小型化されたメモリカードが内蔵されており、このメモリカードに保存されたアドレス帳には、被写体の名前、被写体が所有する携帯電話の電話番号、及び被写体の静止画又は動画等の被写体情報が記憶されている。
【００５４】
図７は、図６のカメラ付携帯電話６００の使用方法を説明するのに用いられる図である。
【００５５】
図７において、撮影者は、図６のカメラ付き携帯電話６００を所有する。一方、被写体は、夫々、携帯電話７０２〜７０４を所有する。カメラ付き携帯電話６００及び携帯電話７０２〜７０４間では公衆電話回線網７３０を介して電話の発着信が行われる。
【００５６】
図８は、図６におけるカメラ付き携帯６００によって実行される通知処理を示すフローチャートである。
【００５７】
本処理は、ＣＰＵ２０がメモリ２４内に記憶された制御プログラムを実行することによって実現される。
【００５８】
本処理では、本処理開始時点において撮影者の所有するカメラ付き携帯電話６００は、被写体選択モードボタン６０４が押下されて動作モードが被写体選択モードに設定されていると共に、撮影停止状態であるとする。
【００５９】
図８において、まず、撮影者の選択キー６０３の操作により、アドレス帳に記憶されている被写体情報の中から、撮影者が選択した被写体情報をＬＣＤ６０２上に表示し（ステップＳ２０１）、撮影者が選択した被写体情報がＬＣＤ６０２上に表示された状態で録画スタートストップボタン６０５が押下されたときは（ステップＳ２０２でＹＥＳ）、カメラレンズ部６０１に映る映像の録画を開始すると共に、録画スタートストップボタン６０５が押下されたと同時にＬＣＤ６０２上に表示された被写体の携帯電話に対して発呼する（携帯電話番号宛に電話する）（ステップＳ２０３）。
【００６０】
その後、録画スタートストップボタン６０６が再度押下されると（ステップＳ２０４でＹＥＳ）、カメラレンズ部６０１に映る映像の録画を終了し、ステップＳ２０１に戻る。
【００６１】
図８の処理によれば、カメラレンズ部６０１に映る映像の録画を開始すると共に、録画スタートストップボタン６０５が押下されたと同時にＬＣＤ６０２上に表示された被写体の携帯電話に対して発呼する（携帯電話番号宛に電話する）（ステップＳ２０３）ので、複数の被写体から選択された被写体に対して撮影開始を知らせることができる。
【００６２】
また、カメラ付き携帯電話６００は、動作モードが被写体選択モードに設定されている限り、ステップＳ２０１以降の処理を繰り返す。
【００６３】
図９は、本発明の第３の実施の形態に係る撮影装置の使用方法を説明するのに用いられる図である。
【００６４】
第３の実施の形態に係る撮影装置としてのビデオカメラ９１０は、内部に図１の撮影装置１００と同様の構成を有し、ＩＥＥＥ８０２．１１で規定される無線ＬＡＮ９３０を介して無線ＬＡＮ端末９０１〜９０３との通信を行う。ここで、通信インターフェース２１は無線ＬＡＮインターフェースであり、ビデオカメラ９１０にはＩＰ（Internet  protocol）アドレス１９２．１６８．０．２５４が、無線ＬＡＮ端末９０１〜９０３には、夫々、ＩＰアドレス（１９２．１６８．０．１〜１９２．１６８．０．３）が割り振られている。
【００６５】
図９において、撮影者はビデオカメラ９１０を所有し、一方、被写体は、夫々、無線ＬＡＮ端末９０１〜９０３を所有する。
【００６６】
第１の実施の形態においては、前述のように、撮影装置１００が撮影前に全ての被写体情報を携帯電話２０１から受信してメモリ２４に記憶しているが、本第３の実施の形態においては、ビデオカメラ９１０は、撮影者が所有するビデオカメラ９１０のＩＰアドレス及び被写体の所有する無線ＬＡＮ端末９０１〜９０３のネットワークアドレス（１９２．１６８．０．０／２５５．２５５．２５５．０）を入力キー１９によりメモリ２４に記録する。
【００６７】
図１０は、図９におけるビデオカメラ９１０によって実行される通知処理のフローチャートである。
【００６８】
本処理は、ＣＰＵ２０がメモリ２４内に記憶された制御プログラムを実行することによって実現される。
【００６９】
図１０において、まず、撮影が一時停止中であり（ステップＳ３０１でＹＥＳ）、入力キー１９の動作モードが被写体選択モードに設定されると（ステップＳ３０２でＹＥＳ）、予め撮影装置９１０のメモリ２４に記録されている無線ＬＡＮ端末９０１〜９０３のネットワークアドレス（１９２．１６８．０．０／２５５．２５５．２５５．０）宛に接続確認を行うためのブロードキャストパケットを送信する。そこで、無線ＬＡＮ端末９０１〜９０３からリプライがあった被写体情報、即ち、無線ＬＡＮ９３０に接続されている無線ＬＡＮ端末９０１〜９０３のメモリ上に記憶された被写体情報（図１１）を受信して、メモリ２４に登録した（ステップＳ３０３）後に、メモリ２４に被写体情報が登録されているか否か判別する（ステップＳ３０４）。
【００７０】
図１１において、ビデオカメラ９１０及び無線ＬＡＮ端末９０１〜９０３間で送受信される被写体情報は、撮影者が撮影しようとする被写体の名前、当該被写体が所有する無線ＬＡＮ端末９０１〜９０３のＩＰアドレス（１９２．１６８．０．１〜１９２．１６８．０．３）、及び当該被写体の静止画ファイル（ＪＰＥＧファイル等）又は動画ファイル（Ｍｏｔｉｏｎ  ＪＰＥＧファイル等）を含む。
【００７１】
ステップＳ３０４の判別の結果、メモリ２４に被写体情報が登録済みであれば（ステップＳ３０４でＹＥＳ）、メモリ２４に登録された被写体情報を画像Ｉ／Ｆ１７を介して送信して、ＬＣＤ１６に重ねて表示し（ステップＳ３０５）（図５）、さらに、撮影者の入力キー１９（選択キー）の操作により、選択カーソルを移動させて撮影する被写体の名前又は静止画を選択し（ステップＳ３０６）、入力キー１９（録画スタートストップボタン）が押下されたか否かを判別する（ステップＳ３０７）。
【００７２】
ステップＳ３０７の判別の結果、入力キー１９が押下されたときは、撮像素子１０を通してＬＣＤ１６に表示される映像の録画を開始すると共に、入力キー１９が押下されると同時に、選択された被写体の無線ＬＡＮ端末９０１〜９０３のＩＰアドレス宛に撮影開始メッセージを送信し、さらに、選択されていない被写体の無線ＬＡＮ端末９０１〜９０３のＩＰアドレス宛に撮影待機メッセージを送信する（ステップＳ３０８）。
【００７３】
その後、入力キー１９（録画スタートストップボタン）が再度押下されると（ステップＳ３０９でＹＥＳ）、撮像素子１０を通してＬＣＤ１６に表示される映像の録画を終了し、ステップＳ３０２に戻る。
【００７４】
ステップＳ３０４の判別の結果、メモリ２４に被写体情報が記録されていないとき、又は、ステップＳ３０７の判別の結果、入力キー１９が押下されていないときは、ステップＳ３０２以降の処理を繰り返す。
【００７５】
図１０の処理によれば、入力キー１９（録画スタートストップボタン）が押下されたときは、撮像素子１０を通してＬＣＤ１６に表示される映像の録画を開始すると共に、入力キー１９が押下されると同時に、選択された被写体の無線ＬＡＮ端末９０１〜９０３のＩＰアドレス宛に撮影開始メッセージを送信する（ステップＳ３０８）ので、複数の被写体から選択された被写体に対して撮影開始を知らせることができる。
【００７６】
さらに、図１０の処理によれば、選択されていない被写体の無線ＬＡＮ端末９０１〜９０３のＩＰアドレス宛に撮影待機メッセージを送信する（ステップＳ３０８）ので、選択されていない被写体に自己以外を対象とした撮影が開始されたことを知らせることができる。
【００７７】
また、ビデオカメラ９１０は、動作モードが被写体選択モードに設定されている限り（ステップＳ３０２でＹＥＳ）、ステップＳ３０３以降の処理を繰り返す。
【図面の簡単な説明】
【００７８】
【図１】本発明の第１の実施の形態に係る撮影装置の構成を概略的に示すブロック図である。
【図２】図１の撮影装置１００の使用方法を説明するのに用いられる図である。
【図３】図１における撮影装置１００によって実行される通知処理のフローチャートである。
【図４】図３のステップＳ１０３で受信される被写体情報を説明するのに用いられる図である。
【図５】図３のステップＳ１０６で表示されるＬＣＤ１６の表示画面例を示す図である。
【図６】本発明の第２の実施の形態に係る撮影装置の外観図である。
【図７】図６のカメラ付携帯電話６００の使用方法を説明するのに用いられる図である。
【図８】図６におけるカメラ付き携帯６００によって実行される通知処理を示すフローチャートである。
【図９】本発明の第３の実施の形態に係る撮影装置の使用方法を説明するのに用いられる図である。
【図１０】図９におけるビデオカメラ９１０によって実行される通知処理のフローチャートである。
【図１１】図１０のステップＳ３０３で受信される被写体情報を説明するのに用いられる図である。
【符号の説明】
【００７９】
１０  撮像素子
１６  ＬＣＤ
１７  信号画像Ｉ／Ｆ
１９  入力キー
２１  通信インターフェース
２４  メモリ
１００  撮影装置
２０１  携帯電話
２２０  Ｂｌｕｅｔｏｏｔｈ
【図１】
2005295114.tif 000003
【図２】
2005295114.tif 000004
【図３】
2005295114.tif 000005
【図４】
2005295114.tif 000006
【図５】
2005295114.tif 000007
【図６】
2005295114.tif 000008
【図７】
2005295114.tif 000009
【図８】
2005295114.tif 000010
【図９】
2005295114.tif 000011
【図１０】
2005295114.tif 000012
【図１１】
2005295114.tif 000013